(57)【要約】【課題】振動付与機構により駆動されるタガネで対象物を破壊するハンドブレーカーにおいて、建造物の破壊作業中に散水しながら、効率よく建造物の壁面や床面を破壊することができる放水型ハンドブレーカーを提供しようとするものである。【解決手段】建造物の破壊に使用される先端にタガネを備えたハンドブレーカーを備え、ハンドブレーカー側面のタガネ取付位置の後部に放水ノズルを取り付け、該放水ノズルに連結してハンドブレーカーの側面に配設した導水管またはホースをハンドブレーカーの端部に開放するとともに、給水手段の先端を前記導水管またはホースの端部に着脱可能としたことを特徴とする放水型ハンドブレーカー。【選択図】図１
2013068038.tif 000002
【特許請求の範囲】
【請求項１】
建造物の破壊に使用される先端にタガネを備えたハンドブレーカーを備え、ハンドブレーカー側面のタガネ取付位置の後部に放水ノズルを取り付け、該放水ノズルに連結してハンドブレーカーの側面に配設した導水管またはホースをハンドブレーカーの端部に開放するとともに、給水手段の先端を前記導水管またはホースの端部に着脱可能としたことを特徴とする放水型ハンドブレーカー。
【請求項２】
前記ハンドブレーカー側面のタガネ取付位置の後部に取り付けた放水ノズルは、帯状に広がる放水面を形成することができる放水口を備えたことを特徴とする請求項１に記載の放水型ハンドブレーカー。
【請求項３】
前記ハンドブレーカーの側面に配設した導水管またはホースは、その適所に開閉栓を取り付けたことを特徴とする請求項１に記載の放水型ハンドブレーカー。
【発明の詳細な説明】
【技術分野】
【０００１】
本発明は、振動付与機構が内蔵された本体に、握り部が形成されたハンドルを設け、前記本体の下端部には前記振動付与機構により駆動されるタガネを装着したハンドブレーカーを用い、作業中に散水しながら、効率よく建造物の壁面や床面を破壊することができる放水型ハンドブレーカーに関するものである。
【背景技術】
【０００２】
建物の解体工事におけるコンクリートのはつり作業には、振動付与機構が内蔵された本体に、握り部が形成されたハンドルを設け、前記本体の下端部には前記振動付与機構により駆動されるタガネを装着したハンドブレーカーが使用されることが多い。
この種のハンドブレーカーは、約１０〜５０ｋｇ程度の重量があり、自重を利用してはつり作業を行うように、つまりハンドブレーカーの重量をはつり対象物に預けた状態で、タガネを振動させるように構成されているものである。
【先行技術文献】
【特許文献】
【０００３】
【特許文献１】特開平１１−３６６１４号公報
【発明の概要】
【発明が解決しようとする課題】
【０００４】
上述の通り、この種のハンドブレーカーは、前記振動付与機構により駆動されるタガネで対象物を破壊するものであり、はつり作業中、粉塵が発生して該粉塵を吸い込むことによる健康被害を引き起こしたり、粉塵が舞い上がることによって作業が中断されて停滞し、はつり作業に時間がかかるという問題があった。
また、はつり作業に伴う騒音や粉塵の発生によって、ビルや住宅等、近隣からの苦情が絶えないという問題があった。
【０００５】
ちなみに、特開平１１−３６６１４号公報（特許文献１参照）には、油圧力等によって建造物を挟圧して破砕する形式の構築物破砕機をパワーショベル等の作業機のアタッチメントとして取り付けて使用する建築物の解体工法において、構築物破砕機に散水ノズルを取り付けて用いることが記載されている。
しかしながら、大型で複雑な構造の構築物破砕機への散水ノズルの取り付けは手間がかかり、また安定した作動を保証することが難しいという問題があった。
【０００６】
上記の従来の問題点に鑑み本発明は、振動付与機構により駆動されるタガネで対象物を破壊するハンドブレーカーにおいて、建造物の破壊作業中に散水しながら、効率よく建造物の壁面や床面を破壊することができる放水型ハンドブレーカーを提供しようとするものである。
【課題を解決するための手段】
【０００７】
上記の目的を達成するために、本発明の放水型ハンドブレーカーは、建造物の破壊に使用される先端にタガネを備えたハンドブレーカーを備え、ハンドブレーカー側面のタガネ取付位置の後部に放水ノズルを取り付け、該放水ノズルに連結してハンドブレーカーの側面に配設した導水管またはホースをハンドブレーカーの端部に開放するとともに、給水手段の先端を前記導水管またはホースの端部に着脱可能としたことを特徴とするものである。
【０００８】
本発明の放水型ハンドブレーカーは、前記ハンドブレーカー側面のタガネ取付位置の後部に取り付けた放水ノズルは、帯状に広がる放水面を形成することができる放水口を備えたことをも特徴とするものである。
【０００９】
本発明の放水型ハンドブレーカーは、前記ハンドブレーカーの側面に配設した導水管またはホースは、その適所に開閉栓を取り付けたことをも特徴とするものである。
【発明の効果】
【００１０】
上記のようにこの種のハンドブレーカーにおいて、前記振動付与機構により駆動されるタガネで対象物を破壊することによって、はつり作業中に粉塵が発生しても放水ノズルから帯状に散水することにより粉塵を確実に抑えることができ、該粉塵を吸い込むことによる健康被害を引き起こしたり、粉塵が舞い上がることによって作業が中断されて停滞し、はつり作業に時間がかかるという問題が解消できた。
また、はつり作業に伴う粉塵の発生が抑えられ、ビルや住宅等、近隣からの苦情という問題を大幅に減らすことができた。
【図面の簡単な説明】
【００１１】
【図１】本発明の放水型ハンドブレーカーの１実施例を示す概略図である。
【図２】その側面図である。
【発明を実施するための形態】
【００１２】
以下、本発明の放水型ハンドブレーカーの実施の形態を図面に基いて詳細に説明する。
本発明の１実施例を示す図１および図２において、Ａはハンドブレーカー、１１はハンドブレーカーのハウジングで、振動付与機構（図示せず）が内蔵されている。
前記ハウジング１１の上端部には左右両端側に握り部１２，１２を有するハンドル１３が設けられており、下端部には前記振動付与機構により駆動されるタガネ１４が着脱交換自在に装着されている。
そして、ハンドブレーカーＡの重量をはつり対象物に預けた状態で、両手で握り部１２，１２を握り、かつ、片側の握り部１２にある操作レバー１５を操作することにより、コンプレッサー（図示せず）からエアホース１６を介して送られる圧搾空気が前記振動付与機構に供給され、前記タガネ１４がその軸芯方向に振動して、はつり対象物をはつるように構成されている。
【００１３】
本実施例の放水型ハンドブレーカーにおいては、前記ハンドブレーカーＡのハウジング１１側面のタガネ１４取付位置の後部に放水ノズル２１を取り付け、該放水ノズル２１に連結してハンドブレーカーＡのハウジング１１側面に配設した導水管またはホース２２をハンドブレーカーＡのハウジング１１端部に開放するとともに、水道ホース２３等からなる給水手段の先端を前記導水管またはホース２２の端部に着脱可能としたものである。
【００１４】
前記ハンドブレーカーＡのハウジウング１１側面のタガネ１４取付位置の後部に取り付けた放水ノズル２１は、帯状に広がる放水面Ｂを形成することができる放水口２４を備えている。このような放水面Ｂは、前記放水ノズル２１そのものを平板状に形成してその長さ方向に放水口２４を並べて設置することによって得ることができる。もちろん、複数の放水ノズル２１を並べて取り付けたり、放水ノズル２１の端部に平板状の放水ガイド（図示せず）を取り付けて帯状に広がる放水面Ｂを形成してもよい。
【００１５】
本発明の放水型ハンドブレーカーにおいては、前記ハンドブレーカーＡのハウジング１１側面に配設した導水管またはホース２２は、前記ハウジング１１後部の適所に開閉栓３１を取り付けることができる。
このように開閉栓３１を設けることにより、放水ノズル２１からの放水を簡単に制御することができるようになる。
【産業上の利用可能性】
【００１６】
この発明の放水型ハンドブレーカーは、建物の解体工事における壁面あるいは床面のコンクリートのはつり作業のみならず、この種のハンドブレーカーの使用に適した種々の現場、あるいは各種の破壊作業にも好適に適用できることはもちろんである。
【符号の説明】
【００１７】
Ａ  ハンドブレーカー
Ｂ  放水面
１１  ハウジング
１２  握り部
１３  ハンドル
１４  タガネ
１５  操作レバー
１６  エアホース
２１  放水ノズル
２２  導水管またはホース
２３  水道ホース
２４  放水口
３１  開閉栓
【図１】
2013068038.tif 000003
【図２】
2013068038.tif 000004
【手続補正書】
【提出日】平成24年3月18日(2012.3.18)
【手続補正１】
【補正対象書類名】特許請求の範囲
【補正対象項目名】全文
【補正方法】変更
【補正の内容】
【特許請求の範囲】
【請求項１】
建造物の破壊に使用される先端にタガネを備えたハンドブレーカーを備え、ハンドブレーカー側面のタガネ取付位置の後部に、帯状に広がる放水面を形成することができる放水口を備えた放水ノズルを取り付け、該放水ノズルに連結してハンドブレーカーの側面に配設した導水管またはホースをハンドブレーカーの端部に開放し、かつ、給水手段の先端を前記導水管またはホースの端部に着脱可能とするとともに、前記導水管またはホースの適所に開閉栓を取り付けたことを特徴とする放水型ハンドブレーカー。
【手続補正２】
【補正対象書類名】明細書
【補正対象項目名】全文
【補正方法】変更
【補正の内容】
【発明の詳細な説明】
【技術分野】
【０００１】
本発明は、振動付与機構が内蔵された本体に、握り部が形成されたハンドルを設け、前記本体の下端部には前記振動付与機構により駆動されるタガネを装着したハンドブレーカーを用い、作業中に散水しながら、効率よく建造物の壁面や床面を破壊することができる放水型ハンドブレーカーに関するものである。
【背景技術】
【０００２】
建物の解体工事におけるコンクリートのはつり作業には、振動付与機構が内蔵された本体に、握り部が形成されたハンドルを設け、前記本体の下端部には前記振動付与機構により駆動されるタガネを装着したハンドブレーカーが使用されることが多い。
この種のハンドブレーカーは、約１０〜５０ｋｇ程度の重量があり、自重を利用してはつり作業を行うように、つまりハンドブレーカーの重量をはつり対象物に預けた状態で、タガネを振動させるように構成されているものである。
【先行技術文献】
【特許文献】
【０００３】
【特許文献１】特開平１１−３６６１４号公報
【発明の概要】
【発明が解決しようとする課題】
【０００４】
上述の通り、この種のハンドブレーカーは、前記振動付与機構により駆動されるタガネで対象物を破壊するものであり、はつり作業中、粉塵が発生して該粉塵を吸い込むことによる健康被害を引き起こしたり、粉塵が舞い上がることによって作業が中断されて停滞し、はつり作業に時間がかかるという問題があった。
また、はつり作業に伴う騒音や粉塵の発生によって、ビルや住宅等、近隣からの苦情が絶えないという問題があった。
【０００５】
ちなみに、特開平１１−３６６１４号公報（特許文献１参照）には、油圧力等によって建造物を挟圧して破砕する形式の構築物破砕機をパワーショベル等の作業機のアタッチメントとして取り付けて使用する建築物の解体工法において、構築物破砕機に散水ノズルを取り付けて用いることが記載されている。
しかしながら、大型で複雑な構造の構築物破砕機への散水ノズルの取り付けは手間がかかり、また安定した作動を保証することが難しいという問題があった。
【０００６】
上記の従来の問題点に鑑み本発明は、振動付与機構により駆動されるタガネで対象物を破壊するハンドブレーカーにおいて、建造物の破壊作業中に散水しながら、効率よく建造物の壁面や床面を破壊することができる放水型ハンドブレーカーを提供しようとするものである。
【課題を解決するための手段】
【０００７】
上記の目的を達成するために、本発明の放水型ハンドブレーカーは、建造物の破壊に使用される先端にタガネを備えたハンドブレーカーを備え、ハンドブレーカー側面のタガネ取付位置の後部に、帯状に広がる放水面を形成することができる放水口を備えた放水ノズルを取り付け、該放水ノズルに連結してハンドブレーカーの側面に配設した導水管またはホースをハンドブレーカーの端部に開放し、かつ、給水手段の先端を前記導水管またはホースの端部に着脱可能とするとともに、前記導水管またはホースの適所に開閉栓を取り付けたことを特徴とするものである。
【発明の効果】
【０００８】
上記のようにこの種のハンドブレーカーにおいて、前記振動付与機構により駆動されるタガネで対象物を破壊することによって、はつり作業中に粉塵が発生しても放水ノズルから帯状に散水することにより粉塵を確実に抑えることができ、該粉塵を吸い込むことによる健康被害を引き起こしたり、粉塵が舞い上がることによって作業が中断されて停滞し、はつり作業に時間がかかるという問題が解消できた。
また、はつり作業に伴う粉塵の発生が抑えられ、ビルや住宅等、近隣からの苦情という問題を大幅に減らすことができた。
さらに、放水ノズルから帯状に散水することにより、作業位置を確認しながらはつり作業を確実に行うことができ、またはつり作業中に粉塵が発生しても放水ノズルから帯状に散水することにより粉塵を確実に抑えることができるようになった。
【図面の簡単な説明】
【０００９】
【図１】本発明の放水型ハンドブレーカーの１実施例を示す概略図である。
【図２】その側面図である。
【発明を実施するための形態】
【００１０】
以下、本発明の放水型ハンドブレーカーの実施の形態を図面に基いて詳細に説明する。
本発明の１実施例を示す図１および図２において、Ａはハンドブレーカー、１１はハンドブレーカーのハウジングで、振動付与機構（図示せず）が内蔵されている。
前記ハウジング１１の上端部には左右両端側に握り部１２，１２を有するハンドル１３が設けられており、下端部には前記振動付与機構により駆動されるタガネ１４が着脱交換自在に装着されている。
そして、ハンドブレーカーＡの重量をはつり対象物に預けた状態で、両手で握り部１２，１２を握り、かつ、片側の握り部１２にある操作レバー１５を操作することにより、コンプレッサー（図示せず）からエアホース１６を介して送られる圧搾空気が前記振動付与機構に供給され、前記タガネ１４がその軸芯方向に振動して、はつり対象物をはつるように構成されている。
【００１１】
本実施例の放水型ハンドブレーカーにおいては、前記ハンドブレーカーＡのハウジング１１側面のタガネ１４取付位置の後部に放水ノズル２１を取り付け、該放水ノズル２１に連結してハンドブレーカーＡのハウジング１１側面に配設した導水管またはホース２２をハンドブレーカーＡのハウジング１１端部に開放するとともに、水道ホース２３等からなる給水手段の先端を前記導水管またはホース２２の端部に着脱可能としたものである。
【００１２】
前記ハンドブレーカーＡのハウジウング１１側面のタガネ１４取付位置の後部に取り付けた放水ノズル２１は、帯状に広がる放水面Ｂを形成することができる放水口２４を備えている。このような放水面Ｂは、前記放水ノズル２１そのものを平板状に形成してその長さ方向に放水口２４を並べて設置することによって得ることができる。もちろん、複数の放水ノズル２１を並べて取り付けたり、放水ノズル２１の端部に平板状の放水ガイド（図示せず）を取り付けて帯状に広がる放水面Ｂを形成してもよい。
【００１３】
本発明の放水型ハンドブレーカーにおいては、前記ハンドブレーカーＡのハウジング１１側面に配設した導水管またはホース２２は、前記ハウジング１１後部の適所に開閉栓３１を取り付けることができる。
このように開閉栓３１を設けることにより、放水ノズル２１からの放水を簡単に制御することができるようになる。
【産業上の利用可能性】
【００１４】
この発明の放水型ハンドブレーカーは、建物の解体工事における壁面あるいは床面のコンクリートのはつり作業のみならず、この種のハンドブレーカーの使用に適した種々の現場、あるいは各種の破壊作業にも好適に適用できることはもちろんである。
【符号の説明】
【００１５】
Ａ  ハンドブレーカー
Ｂ  放水面
１１  ハウジング
１２  握り部
１３  ハンドル
１４  タガネ
１５  操作レバー
１６  エアホース
２１  放水ノズル
２２  導水管またはホース
２３  水道ホース
２４  放水口
３１  開閉栓
【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
建造物の破壊に使用される先端にタガネを備えたハンドブレーカーを備え、ハンドブレーカー側面のタガネ取付位置の後部に、帯状に広がる放水面を形成することができる放水口を備えた放水ノズルを取り付け、該放水ノズルに連結してハンドブレーカーの側面形状に沿って密接するよう配設した導水管またはホースをハンドブレーカーの端部に開放し、かつ、給水手段の先端を前記導水管またはホースの端部に着脱可能とするとともに、前記導水管またはホースの適所に開閉栓を取り付けたことを特徴とする放水型ハンドブレーカー。
【手続補正２】
【補正対象書類名】明細書
【補正対象項目名】全文
【補正方法】変更
【補正の内容】
【発明の詳細な説明】
【技術分野】
【０００１】
本発明は、振動付与機構が内蔵された本体に、握り部が形成されたハンドルを設け、前記本体の下端部には前記振動付与機構により駆動されるタガネを装着したハンドブレーカーを用い、作業中に散水しながら、効率よく建造物の壁面や床面を破壊することができる放水型ハンドブレーカーに関するものである。
【背景技術】
【０００２】
建物の解体工事におけるコンクリートのはつり作業には、振動付与機構が内蔵された本体に、握り部が形成されたハンドルを設け、前記本体の下端部には前記振動付与機構により駆動されるタガネを装着したハンドブレーカーが使用されることが多い。
この種のハンドブレーカーは、約１０〜５０ｋｇ程度の重量があり、自重を利用してはつり作業を行うように、つまりハンドブレーカーの重量をはつり対象物に預けた状態で、タガネを振動させるように構成されているものである。
【先行技術文献】
【特許文献】
【０００３】
【特許文献１】特開平１１−３６６１４号公報
【発明の概要】
【発明が解決しようとする課題】
【０００４】
上述の通り、この種のハンドブレーカーは、前記振動付与機構により駆動されるタガネで対象物を破壊するものであり、はつり作業中、粉塵が発生して該粉塵を吸い込むことによる健康被害を引き起こしたり、粉塵が舞い上がることによって作業が中断されて停滞し、はつり作業に時間がかかるという問題があった。
また、はつり作業に伴う騒音や粉塵の発生によって、ビルや住宅等、近隣からの苦情が絶えないという問題があった。
【０００５】
ちなみに、特開平１１−３６６１４号公報（特許文献１参照）には、油圧力等によって建造物を挟圧して破砕する形式の構築物破砕機をパワーショベル等の作業機のアタッチメントとして取り付けて使用する建築物の解体工法において、構築物破砕機に散水ノズルを取り付けて用いることが記載されている。
しかしながら、大型で複雑な構造の構築物破砕機への散水ノズルの取り付けは手間がかかり、また安定した作動を保証することが難しいという問題があった。
【０００６】
上記の従来の問題点に鑑み本発明は、振動付与機構により駆動されるタガネで対象物を破壊するハンドブレーカーにおいて、建造物の破壊作業中に散水しながら、効率よく建造物の壁面や床面を破壊することができる放水型ハンドブレーカーを提供しようとするものである。
【課題を解決するための手段】
【０００７】
上記の目的を達成するために、本発明の放水型ハンドブレーカーは、建造物の破壊に使用される先端にタガネを備えたハンドブレーカーを備え、ハンドブレーカー側面のタガネ取付位置の後部に、帯状に広がる放水面を形成することができる放水口を備えた放水ノズルを取り付け、該放水ノズルに連結してハンドブレーカーの側面形状に沿って密接するよう配設した導水管またはホースをハンドブレーカーの端部に開放し、かつ、給水手段の先端を前記導水管またはホースの端部に着脱可能とするとともに、前記導水管またはホースの適所に開閉栓を取り付けたことを特徴とするものである。
【発明の効果】
【０００８】
上記のようにこの種のハンドブレーカーにおいて、前記振動付与機構により駆動されるタガネで対象物を破壊することによって、はつり作業中に粉塵が発生しても放水ノズルから帯状に散水することにより粉塵を確実に抑えることができ、該粉塵を吸い込むことによる健康被害を引き起こしたり、粉塵が舞い上がることによって作業が中断されて停滞し、はつり作業に時間がかかるという問題が解消できた。
また、はつり作業に伴う粉塵の発生が抑えられ、ビルや住宅等、近隣からの苦情という問題を大幅に減らすことができた。
さらに、放水ノズルから帯状に散水することにより、作業位置を確認しながらはつり作業を確実に行うことができ、またはつり作業中に粉塵が発生しても放水ノズルから帯状に散水することにより粉塵を確実に抑えることができるようになった。
前記導水管またはホースは、ハンドブレーカーの側面形状に沿って密接するよう配設したので、建造物の解体時に生じる種々の突起物に引っ掛けて損傷し、簡単に放水できなくなってしまうというトラブルを解消することができる。
【図面の簡単な説明】
【０００９】
【図１】本発明の放水型ハンドブレーカーの１実施例を示す概略図である。
【図２】その側面図である。
【発明を実施するための形態】
【００１０】
以下、本発明の放水型ハンドブレーカーの実施の形態を図面に基いて詳細に説明する。
本発明の１実施例を示す図１および図２において、Ａはハンドブレーカー、１１はハンドブレーカーのハウジングで、振動付与機構（図示せず）が内蔵されている。
前記ハウジング１１の上端部には左右両端側に握り部１２，１２を有するハンドル１３が設けられており、下端部には前記振動付与機構により駆動されるタガネ１４が着脱交換自在に装着されている。
そして、ハンドブレーカーＡの重量をはつり対象物に預けた状態で、両手で握り部１２，１２を握り、かつ、片側の握り部１２にある操作レバー１５を操作することにより、コンプレッサー（図示せず）からエアホース１６を介して送られる圧搾空気が前記振動付与機構に供給され、前記タガネ１４がその軸芯方向に振動して、はつり対象物をはつるように構成されている。
【００１１】
本実施例の放水型ハンドブレーカーにおいては、前記ハンドブレーカーＡのハウジング１１側面のタガネ１４取付位置の後部に放水ノズル２１を取り付け、該放水ノズル２１に連結してハンドブレーカーＡのハウジング１１側面形状に沿って密接するよう配設した導水管またはホース２２をハンドブレーカーＡのハウジング１１端部に開放するとともに、水道ホース２３等からなる給水手段の先端を前記導水管またはホース２２の端部に着脱可能としたものである。
【００１２】
前記ハンドブレーカーＡのハウジウング１１側面のタガネ１４取付位置の後部に取り付けた放水ノズル２１は、帯状に広がる放水面Ｂを形成することができる放水口２４を備えている。このような放水面Ｂは、前記放水ノズル２１そのものを平板状に形成してその長さ方向に放水口２４を並べて設置することによって得ることができる。もちろん、複数の放水ノズル２１を並べて取り付けたり、放水ノズル２１の端部に平板状の放水ガイド（図示せず）を取り付けて帯状に広がる放水面Ｂを形成してもよい。
【００１３】
本発明の放水型ハンドブレーカーにおいては、前記ハンドブレーカーＡのハウジング１１側面形状に沿って密接するよう配設した導水管またはホース２２は、前記ハウジング１１後部の適所に開閉栓３１を取り付けることができる。
このように開閉栓３１を設けることにより、放水ノズル２１からの放水を簡単に制御することができるようになる。
【産業上の利用可能性】
【００１４】
この発明の放水型ハンドブレーカーは、建物の解体工事における壁面あるいは床面のコンクリートのはつり作業のみならず、この種のハンドブレーカーの使用に適した種々の現場、あるいは各種の破壊作業にも好適に適用できることはもちろんである。
【符号の説明】
【００１５】
Ａ  ハンドブレーカー
Ｂ  放水面
１１  ハウジング
１２  握り部
１３  ハンドル
１４  タガネ
１５  操作レバー
１６  エアホース
２１  放水ノズル
２２  導水管またはホース
２３  水道ホース
２４  放水口
３１  開閉栓